(57)【要約】【課題】照明効果を高めることができる照明器具を提供する。【解決手段】照明器具１は、造営材の天井９１に取り付けられる照明器具１であって、器具本体１０と、器具本体１０に取り付けられ、基板３１及び基板３１に配置された発光素子３２を有する発光モジュール３０と、透光性を有し、発光モジュール３０を囲む枠状の側方カバー５０と、を備える。側方カバー５０は、天井９１と垂直な方向から見たときに天井９１から遠ざかるにつれ外方に向かう向きに、天井９１と垂直な方向に対して傾斜している傾斜部５３を有する。【選択図】図７
2018125101.tif 000002
【特許請求の範囲】
【請求項１】
造営材の設置面に取り付けられる照明器具であって、
器具本体と、
前記器具本体に取り付けられ、基板及び前記基板に配置された発光素子を有する発光モジュールと、
透光性を有し、前記発光モジュールを囲む枠状の側方カバーと、を備え、
前記側方カバーは、前記設置面に対して垂直な方向から見たときに前記設置面から遠ざかるにつれ外方に向かう向きに、前記垂直な方向に対して傾斜している傾斜部を有する
照明器具。
【請求項２】
前記傾斜部は、前記設置面に対して平行な方向から見たときに直線状に傾斜している
請求項１に記載の照明器具。
【請求項３】
さらに、前記発光素子を覆い、バットウィング状の配光特性のレンズを有するレンズカバーを備える
請求項１又は２に記載の照明器具。
【請求項４】
前記発光モジュールは、複数の前記発光素子を有し、
前記レンズカバーは、複数の前記発光素子のうちの前記基板の中心側に配置された発光素子を覆う第１レンズカバー部と、前記基板の外側に配置された発光素子を覆う第２レンズカバー部とを有し、
前記第２レンズカバー部に形成された前記レンズの前記発光素子の光軸方向に対する配光ピーク角度は、前記第１レンズカバー部に形成された前記レンズの前記光軸方向に対する配光ピーク角度より大きい
請求項３に記載の照明器具。
【請求項５】
前記傾斜部の外面及び内面の少なくとも一方には、凹凸が形成されている
請求項１〜４のいずれか１項に記載の照明器具。
【請求項６】
前記傾斜部は、乳白色である
請求項１〜５のいずれか１項に記載の照明器具。
【発明の詳細な説明】
【技術分野】
【０００１】
本発明は、空間を照明するための照明器具に関する。
【背景技術】
【０００２】
空間を照明するための照明器具の一つとして、シーリングライトが知られている（例えば、特許文献１参照）。シーリングライトは、天井に取り付けられる器具本体と、器具本体に支持された基板と、基板に実装された複数のＬＥＤ（Ｌｉｇｈｔ  Ｅｍｉｔｔｉｎｇ  Ｄｉｏｄｅ）と、複数のＬＥＤを覆うように器具本体に取り付けられた外郭カバー（拡散カバー）とを有している。
【先行技術文献】
【特許文献】
【０００３】
【特許文献１】特開２０１３−０４８１６７号公報
【発明の概要】
【発明が解決しようとする課題】
【０００４】
上述した従来のシーリングライトでは、複数のＬＥＤの各々からの光は、外郭カバーにより拡散されて主に床面に照射されるため、十分な照明効果を得ることができなかった。
【０００５】
そこで、本発明は、このような課題に鑑みてなされたものであり、照明効果を高めることができる照明器具を提供することを目的とする。
【課題を解決するための手段】
【０００６】
上記目的を達成するために、本発明の一態様に係る照明器具は、造営材の設置面に取り付けられる照明器具であって、器具本体と、前記器具本体に取り付けられ、基板及び前記基板に配置された発光素子を有する発光モジュールと、透光性を有し、前記発光モジュールを囲む枠状の側方カバーと、を備え、前記側方カバーは、前記設置面に対して垂直な方向から見たときに前記設置面から遠ざかるにつれ外方に向かう向きに、前記垂直な方向に対して傾斜している傾斜部を有する。
【発明の効果】
【０００７】
本発明の一態様に係る照明器具によれば、照明効果を高めることができる。
【図面の簡単な説明】
【０００８】
【図１】実施の形態に係る照明器具の天井側の外観を示す斜視図である。
【図２】実施の形態に係る照明器具の床面側の外観を示す斜視図である。
【図３】実施の形態に係る照明器具を分解して示す分解斜視図である。
【図４】実施の形態に係る照明器具の外郭カバー及び枠体を省略した状態を示す平面図である。
【図５】図４のＶａ−Ｖａ線における実施の形態に係る照明器具の断面図である。
【図６】実施の形態に係るレンズの配光特性を示す図である。
【図７】図４のＶａ−Ｖａ線に対応する、実施の形態に係る照明器具の断面図である。
【図８】実施の形態に係る照明器具を設置した状態の一例を示すイメージ図である。
【発明を実施するための形態】
【０００９】
以下では、本発明の実施の形態について、図面を用いて詳細に説明する。以下に説明する実施の形態は、いずれも本発明の一具体例を示すものである。したがって、以下の実施の形態で示される数値、形状、材料、構成要素、構成要素の配置、及び、接続形態などは、一例であり、本発明を限定する主旨ではない。よって、以下の実施の形態における構成要素のうち、本発明の最上位概念を示す独立請求項に記載されていない構成要素については、任意の構成要素として説明される。
【００１０】
また、各図は、模式図であり、必ずしも厳密に図示されたものではない。なお、各図において、実質的に同一の構成に対しては同一の符号を付しており、重複する説明は省略又は簡略化される場合がある。
【００１１】
また、「略＊＊」との記載は実質的に＊＊と認められるものを含む意図であり、例えば「略円弧状」を例に挙げて説明すると、完全な円弧状はもとより、実質的に円弧状と認められるものを含む意図である。
【００１２】
また、以下の実施の形態で説明に用いられる図面においては座標軸が示される場合がある。Ｚ軸のマイナス側が床面（図示しない）側、Ｚ軸のプラス側が天井（図示しない）側を表している。また、Ｘ軸方向及びＹ軸方向は、Ｚ軸方向に垂直な平面（水平面）上において、互いに直交する方向である。Ｘ−Ｙ平面は、照明器具が備える器具本体の一方側の面に平行な平面である。なお、説明の都合上、図２〜図５では、照明器具１を通常の使用時の姿勢とは上下逆の姿勢で図示している。
【００１３】
（実施の形態）
以下、本実施の形態に係る照明器具について説明する。
【００１４】
［１．照明器具の構成］
［１−１．照明器具の全体構成］
まず、本実施の形態に係る照明器具１の全体構成について、図１〜図３を参照しながら説明する。図１は、本実施の形態に係る照明器具１の天井側の外観を示す斜視図である。図２は、本実施の形態に係る照明器具１の床面側の外観を示す斜視図である。図３は、本実施の形態に係る照明器具１を分解して示す分解斜視図である。
【００１５】
照明器具１は、例えば住宅等の建物の天井に設置され、建物の内部の空間を照明するためのシーリングライトである。図１〜図３に示すように、照明器具１は、器具本体１０、電源ユニット２０、発光モジュール３０、レンズカバー４０、側方カバー５０、外郭カバー６０、枠体７０、及び、クッション部材８０を備えている。なお、天井は、照明器具１が取り付けられる造営材の設置面の一例である。
【００１６】
以下、照明器具１の各構成要素について、図１〜図８を参照しながら詳細に説明する。
【００１７】
［１−２．器具本体］
器具本体１０について、図１及び図３を参照しながら説明する。
【００１８】
器具本体１０は、電源ユニット２０、発光モジュール３０、側方カバー５０及びクッション部材８０を支持するための筐体である。器具本体１０は、中央部に円形状の開口部１１を有するリング状に形成されている。器具本体１０は、例えばアルミニウム板又は鋼板等の板金をプレス加工することによって形成される。
【００１９】
開口部１１の周縁部には、器具本体１０を器具取付部材（図示しない）に装着するためのホルダ１２が固定されている。ホルダ１２の内部には、器具取付部材が脱着自在に嵌合される。なお、器具取付部材とは、天井に設置された引っ掛けシーリングボディ（図示しない）に器具本体１０を脱着自在に取り付けるためのアダプタである。また、引っ掛けシーリングボディは、商用電源（図示しない）と電線（図示しない）を介して電気的に接続されている。照明器具１が天井に設置されることにより、商用電源からの交流電力が電線及び引っ掛けシーリングボディを介して照明器具１に供給される。
【００２０】
なお、器具本体１０は、発光モジュール３０からの熱を放熱するためのヒートシンクとしても機能する。
【００２１】
さらに、図１に示すように、器具本体１０の一方側の面（本実施の形態では、天井側の面）には、例えば、ウレタン等で形成されたクッション部材８０が複数取り付けられている。複数のクッション部材８０は、器具本体１０の周方向に沿って配置されている。照明器具１が天井に設置された際に、複数のクッション部材８０が器具本体１０と天井との間に挟み込まれることにより、器具本体１０のぐらつき又は回転が抑制される。
【００２２】
［１−３．電源ユニット］
次に、電源ユニット２０について、図１及び図３を参照しながら説明する。電源ユニット２０は、発光モジュール３０を発光させるための電力を生成するためのユニットである。電源ユニット２０は、例えば、器具本体１０の一方側の面に配置される。電源ユニット２０は、基板２１と、基板２１に実装された複数の回路部品２２と、基板２１及び複数の回路部品２２を覆うケース２３を有している。
【００２３】
基板２１は、複数の回路部品２２を実装するためのプリント配線基板である。基板２１は、複数の回路部品２２が床面側を向くようにして、ケース２３の他方側の面（本実施の形態では、床面側の面）に取り付けられている。
【００２４】
複数の回路部品２２の各々は、発光モジュール３０を発光させるための電力を生成するための電源回路を構成する電源用回路部品である。複数の回路部品２２は、上述した商用電源から電線を介して供給されてきた交流電力を直流電力に変換する。複数の回路部品２２で生成された直流電力が発光モジュール３０に供給されることにより、発光モジュール３０が発光する。
【００２５】
なお、複数の回路部品２２には、上述した電源用回路部品だけでなく、その他の回路を構成する回路部品が含まれていてもよい。例えば、複数の回路部品２２は、調光回路又は昇圧回路等を構成する駆動用回路部品を含んでいてもよく、あるいは、通信回路を構成する通信用回路部品（通信モジュール）等を含んでいてもよい。
【００２６】
ケース２３は、基板２１及び複数の回路部品２２を覆うためのカバーである。本実施の形態では、基板２１はケース２３の他方側の面に固定されている。ケース２３は、例えば、金属又は樹脂などにより形成されている。ケース２３が金属で形成されている場合、基板２１及び複数の回路部品２２で発生した熱を効率よく放熱することができる。
【００２７】
［１−４．発光モジュール］
次に、発光モジュール３０について、図３を参照しながら説明する。
【００２８】
発光モジュール３０は、例えば白色光を発するための光源である。白色光とは、例えば、色温度（相関色温度）が２６００Ｋ〜７１００Ｋの光である。発光モジュール３０は、複数の基板３１と、複数の基板３１の各々に実装された複数の発光素子３２とを有している。発光モジュール３０は、部屋全体を明るくする、室内照明用途の光源である。
【００２９】
基板３１は、複数の発光素子３２を実装するためのプリント配線基板であり、略円弧状に形成されている。複数の基板３１の各々は、器具本体１０の開口部１１を囲むようにして、器具本体１０の他方側の面（本実施の形態では、床面側の面）にネジ（図示しない）により取り付けられている。なお、本実施の形態では発光モジュール３０は４つの基板３１から構成されている例について説明しているが、基板３１の数はこれに限定されない。
【００３０】
基板３１としては、例えば、樹脂をベースとする樹脂基板、金属をベースとするメタルベース基板、セラミックからなるセラミック基板等を用いることができる。また、基板３１は、リジッド基板に限定されず、フレキシブル基板であってもよい。
【００３１】
複数の発光素子３２は、基板３１の径方向に配置されている。本実施の形態では、複数の発光素子３２は、基板３１の周方向に６列配置されている。各列において、複数の発光素子３２は、基板３１の周方向に間隔を置いて配置されている。これにより、発光モジュール３０全体としては、複数の発光素子３２はリング状に配置されるようになる。
【００３２】
発光素子３２の各々は、パッケージ化された表面実装（ＳＭＤ：Ｓｕｒｆａｃｅ  Ｍｏｕｎｔ  Ｄｅｖｉｃｅ）型の白色ＬＥＤ素子である。すなわち、発光素子３２の各々は、凹部を有する白色樹脂製のパッケージ（容器）と、パッケージの凹部の底面に一次実装されたＬＥＤチップと、パッケージの凹部内に封入された封止部材とを有している。ＬＥＤチップは、例えば青色光を発する青色ＬＥＤチップである。封止部材には、青色ＬＥＤチップからの青色光を励起光として蛍光発光するＹＡＧ（イットリウム・アルミニウム・ガーネット）等の黄色蛍光体が含有されている。
【００３３】
このように、発光素子３２の各々は、青色ＬＥＤチップと黄色蛍光体とによって構成されたＢ−Ｙタイプの白色ＬＥＤ素子である。具体的には、封止部材に含有される黄色蛍光体は、青色ＬＥＤチップからの青色光の一部を吸収することにより励起されて黄色光を放出する。この放出された黄色光と黄色蛍光体に吸収されなかった青色光とが混ざることにより、白色光が生成される。このようにして発光素子３２の各々から白色光が出射される。
【００３４】
なお、照明器具１の光源は、特に限定されるものではない。例えば、発光モジュール３０の代わりに、半導体レーザ等の半導体発光素子、有機ＥＬ素子（ＯＬＥＤ）、無機ＥＬ素子、又は、その他の固体発光素子を用いて構成された発光モジュールが用いられてもよい。また、発光モジュール３０の代わりに、蛍光管が用いられてもよい。また、発光モジュール３０は白色光を発光する例について説明したが、これに限定されない。
【００３５】
［１−５．レンズカバー］
次に、レンズカバー４０について、図３〜図６を参照しながら説明する。図４は、本実施の形態に係る照明器具１の外郭カバー６０及び枠体７０を省略した状態を示す平面図である。図５は、図４のＶａ−Ｖａ線における本実施の形態に係る照明器具１の断面図である。断面図である。具体的には、図５の（ａ）は、図４のＶａ−Ｖａ線における本実施の形態に係る照明器具１の断面図であり、図５の（ｂ）は、図５の（ａ）の破線領域の拡大断面図である。図６は、本実施の形態に係るレンズ４１ａ及び４２ａの配光特性を示す図である。ここで、断面図とは、Ｙ軸とＺ軸とで規定される平面で切断された照明器具１の断面のみを示しており、以降においても同様である。
【００３６】
レンズカバー４０は、発光素子３２の各々からの光の配光角を拡大するための光学部材である。レンズカバー４０は、リング状に形成されている。また、レンズカバー４０は、透光性を有する材料（例えば、アクリル（ＰＭＭＡ）、ポリカーボネート（ＰＣ）などの透明な樹脂等）で形成されている。レンズカバー４０は、複数の基板３１の各々を覆うようにして、器具本体１０の他方側の面にネジ４３により取り付けられる。
【００３７】
図４に示すように、レンズカバー４０は、レンズカバー４０における開口部１１側の内側領域（レンズカバー４０のうちの仮想線Ｌより内側の領域）である第１レンズカバー部４１と、第１レンズカバー部４１より外周側の外側領域（レンズカバー４０のうちの仮想線Ｌより外周側の領域）である第２レンズカバー部４２とを有する。つまり、第１レンズカバー部４１は、複数の発光素子３２のうちの基板３１の中心側に配置された発光素子３２を覆う。また、第２レンズカバー部４２は、複数の発光素子３２のうちの基板３１の外周側に配置された発光素子３２を覆う。
【００３８】
さらに、第１レンズカバー部４１には、複数のレンズ４１ａが形成されており、第２レンズカバー部４２には、複数のレンズ４２ａが形成されている。複数のレンズ４１ａ及び４２ａは、複数の発光素子３２の各々に対応するように設けられている。複数の発光素子３２の各々から発せられた光は、各々に対応するレンズ４１ａ又は４２ａを透過することで、配光制御される。なお、後述するが、レンズ４１ａ及び４２ａは、それぞれ異なる配光特性を有するレンズであり、レンズ４２ａはレンズ４１ａに比べ広配光の配光特性を有する。
【００３９】
複数のレンズ４１ａは、開口部１１を囲むように第１レンズカバー部４１の周方向に沿って、第１レンズカバー部４１に形成されている。本実施の形態では、複数のレンズ４１ａは、第１レンズカバー部４１の周方向に沿って２列形成されている。各列において、複数のレンズ４１ａは、第１レンズカバー部４１の周方向に間隔を置いて形成されている。具体的には、複数のレンズ４１ａは、複数の発光素子３２と一対一で対応するように、複数の発光素子３２に対応する第１レンズカバー部４１の位置に形成されている。これにより、第１レンズカバー部４１において、複数の発光素子３２に対応するように、複数のレンズ４１ａはリング状に形成される。
【００４０】
複数のレンズ４２ａは、第１レンズカバー部４１を囲むように第２レンズカバー部４２の周方向に沿って、第２レンズカバー部４２に形成されている。本実施の形態では、複数のレンズ４２ａは、第２レンズカバー部４２の周方向に沿って４列形成されている。各列において、複数のレンズ４２ａは、第２レンズカバー部４２の周方向に間隔を置いて形成されている。具体的には、複数のレンズ４２ａは、複数の発光素子３２と一対一で対応するように、複数の発光素子３２に対応する第２レンズカバー部４２の位置に形成されている。これにより、第２レンズカバー部４２において、複数の発光素子３２に対応するように、複数のレンズ４２ａはリング状に形成される。
【００４１】
複数のレンズ４１ａ及び４２ａは、例えば、略同心円状に形成されている。例えば、複数のレンズ４１ａ及び４２ａは、開口部１１の中心を基準に略同心円状に形成されている。なお、レンズカバー４０に形成されるレンズ４１ａ及び４２ａの列数は、上記に限定されない。例えば、レンズ４１ａ及び４２ａは、それぞれ同数形成されてもよいし、レンズ４２ａの方が多く形成されてもよい。
【００４２】
また、図４に示すように、レンズカバー４０は、器具本体１０の他方側の面にネジ４３で取り付けられている。具体的には、レンズカバー４０の内周及び外周にはネジ穴（図示しない）が形成されており、レンズカバー４０の他方側の面（本実施の形態では、床面側の面）からネジ４３がネジ穴に螺号することにより、レンズカバー４０は器具本体１０にネジ止めされる。なお、発光モジュール３０の基板３１には、レンズカバー４０に形成されたネジ穴と同じ位置にネジ穴が形成されており、発光モジュール３０とレンズカバー４０とがネジ４３で器具本体１０の他方側の面に固定されていてもよい。
【００４３】
また、図４に示すように、器具本体１０の他方側の面には、側方カバー取付部１３が形成されている。側方カバー取付部１３には凹部（図示しない）が形成されており、側方カバー５０の一端部５１には凸部（図示しない）が形成されている。例えば、側方カバー取付部１３の凹部と一端部５１の凸部とが嵌合することにより、側方カバー５０は器具本体１０に取り付けられる。なお、図４では、器具本体１０の他方側の面に側方カバー取付部１３が３つ、略等間隔で器具本体１０の周方向に形成されている例について示しているが、側方カバー取付部１３の数及び位置は、これに限定されない。側方カバー取付部１３は、側方カバー５０を器具本体１０に脱着自在に取り付けることができれば、数及び位置は特に限定されない。
【００４４】
続いて、レンズカバー４０の断面形状について、図５を参照しながら説明する。
【００４５】
図５の（ａ）に示すように、レンズカバー４０は、断面視において、凹凸形状を有する。また、図５の（ｂ）に示すように、レンズカバー４０は、基板３１の他方側の面（本実施の形態では、床面側の面）に配置される。断面視において、第１レンズカバー部４１には、Ｙ軸方向に２列でリング状に並ぶレンズ４１ａが形成されており、第２レンズカバー部４２には、Ｙ軸方向に４列でリング状に並ぶレンズ４２ａが形成されている。また、断面視において発光素子３２はＹ軸方向に６列でリング状に並んで配置されており、発光素子３２の各々は、レンズ４１ａ又は４２ａで覆われている。つまり、レンズ４１ａ又は４２ａは、発光素子３２の各々に一対一で形成されている個別レンズである。これにより、複数の発光素子３２の各々からの光に対して、所望の配光制御を行うことができる。
【００４６】
レンズ４１ａの各々は、複数の発光素子３２のうちの開口部１１に近い領域に配置されている発光素子３２の各々を覆っている。言い換えると、レンズ４１ａは、照明器具１を床面側から見た場合に、後述する外郭カバー６０の中央付近から出射される照明光を主に配光制御するためのレンズである。一方、レンズ４２ａは、複数の発光素子３２のうちのレンズ４１ａに覆われる発光素子３２より外側に配置されている発光素子３２の各々を覆っている。言い換えると、レンズ４２ａは、照明器具１を床面側から見た場合に後述する外郭カバー６０の外周付近から出射される照明光、及び、後述する側方カバー５０に入射させるための光を主に配光制御するためのレンズである。
【００４７】
ここで、図５の（ｂ）に示すように、レンズ４１ａ及び４２ａは、断面視において形状が異なる。より詳しくは、レンズカバー４０の一方側の面（本実施の形態では、天井側の面）には、発光素子３２からの光の配光を制御するために、床面側に向けて凹みが形成されているが、その凹みの形状がレンズ４１ａと４２ａとで異なる。
【００４８】
レンズ４１ａに形成されている凹みは、断面視において、レンズ４２ａに形成されている凹みより浅い。また、レンズ４１ａに形成されている凹みは、断面視において、略台形状である。一方、レンズ４２ａに形成されている凹みは、断面視において、レンズ４１ａに形成されている凹みより深い。また、レンズ４２ａに形成されている凹みは、断面視において、略三角形状である。これにより、発光素子３２からの光がレンズカバー４０に入射する光の配光のされ方が異なる。レンズ４１ａでは、床面側に出射する光の光量が多くなり、レンズ４２ａでは、天井に水平な方向に出射する光の光量が多くなる。言い換えると、レンズ４１ａは狭配光の配光特性を有しており、レンズ４２ａは、広配光の配光特性を有している。
【００４９】
なお、図５の（ｂ）において、一点鎖線は発光素子３２の光軸Ｊを示している。光軸Ｊは、Ｚ軸に平行な軸である。また、発光素子３２の光軸Ｊと当該発光素子３２を備える照明器具１の光軸とは、平行の関係にある。
【００５０】
続いて、上記で説明したレンズ４１ａ及び４２ａの配光特性について、図６を参照しながら説明する。図６は、本実施の形態に係るレンズ４１ａ及び４２ａの配光特性を示す図である。より詳しくは、図６の（ａ）は、レンズ４１ａ単体での配光ピーク角度の一例を示す図であり、図６の（ｂ）は、レンズ４２ａ単体での配光ピーク角度の一例を示す図である。つまり、図６は、照明器具１の配光特性ではなく、レンズのみでの配光特性を示している。また、図６では、半円の中心から半円の外周（円弧）へ向かうほど光の取り出し効率が高いことを示している。また、図６では、光軸Ｊと平行な方向（以降、光軸方向とも記載する）を基準（０°）とし、光軸Ｊと直交する方向を９０°及び−９０°として図示している。図６において、０°は、照明器具１の直下方向を示している。
【００５１】
なお、レンズの配光ピーク角度とは、発光素子３２の光軸方向と、光の取り出し効率が最大となる方向（図中の破線方向）とが成す角度であり、光軸方向を基準とした（言い換えると、光軸方向に対する）角度である。つまり、レンズの配光ピーク角度が大きいほど、当該レンズを透過した光は、光軸Ｊに対して直交する方向と近い方向に、より多く出射される。本実施の形態に係る照明器具１は、設置面の一例である天井に対して照明器具１の器具本体１０が略平行に設置される。そのため、レンズの配光ピーク角度が大きいほど、当該レンズを透過した光は、天井（天井面）に対して水平に近い方向により多く出射される。
【００５２】
図６の（ａ）及び図６の（ｂ）に示すように、レンズ４１ａ及び４２ａはそれぞれ、配光ピーク角度を２つ有するレンズである。具体的には、光軸Ｊに対して互いに反対側に２つの配光ピーク角度を有する。つまり、レンズ４１ａ及び４２ａは、バットウィング状の配光特性を有するレンズである。言い換えると、レンズカバー４０は、バットウィング状の配光特性のレンズ４１ａ及び４２ａを有し、発光素子３２から出射された光の配光角を広げる配光制御を行う。
【００５３】
これにより、発光素子３２からレンズ４１ａ及び４２ａに入射した光を、側方カバー５０が配置されている方向により多く出射することができる。また、発光素子３２がランバート配光特性を有する場合でも、レンズ４１ａ及び４２ａがバットウィング状の配光特性を有することで、発光素子３２から出射される光の最大光度となる方向（本実施の形態では、照明器具１の直下方向）が輝点として見えにくくなる。つまり、照明器具１を床面側から見た場合、外郭カバー６０から出射される照明光の明るさの不均一性が低減されて見える。
【００５４】
さらに、レンズ４１ａ及び４２ａでは、配光ピーク角度が異なる。図６の（ａ）及び図６の（ｂ）に示すように、第２レンズカバー部４２に形成されているレンズ４２ａの配光ピーク角度は、第１レンズカバー部４１に形成されているレンズ４１ａの配光ピーク角度より大きい。言い換えると、配光ピーク角度が大きいレンズ４２ａはレンズカバー４０の外側領域に配置されており、配光ピーク角度がレンズ４２ａより小さいレンズ４１ａはレンズカバー４０の内側領域に配置されている。つまり、レンズカバー４０の外側領域（言い換えると、後述する側方カバー５０に近い領域）には、配光ピーク角度が大きいレンズ（レンズ４２ａ）が配置されている。これにより、レンズカバー４０から出射した光が、側方カバー５０へ入射しやすくなる。
【００５５】
なお、レンズ４１ａの配光ピーク角度は、例えば、７０°以上８０°以下であり、一例として７４°である。また、レンズ４２ａの配光ピーク角度は、例えば、７５°以上８５°以下であり、一例として７９°である。
【００５６】
［１−６．側方カバー］
次に、側方カバー５０について、図３、図４及び図７を参照しながら説明する。図７は、図４のＶａ−Ｖａ線に対応する、本実施の形態に係る照明器具１の断面図である。なお、図７では、天井９１側が上になるように図示している。つまり、図７は、照明器具１を通常の使用時の姿勢で図示している。また、同図では、引っ掛けシーリングボディ１００及び器具取付部材１０１を模式的に破線で示している。
【００５７】
側方カバー５０は、透光性を有し発光モジュール３０を囲む枠状の部材であり、発光モジュール３０から側方カバー５０に入射した光を有効に活用するための光学部材である。言い換えると、側方カバー５０は、発光モジュール３０を側方から覆うように配置されている。
【００５８】
図３及び図７に示すように、側方カバー５０は、天井９１（設置面の一例）側の端部である一端部５１と、床面側の端部である他端部５２と、断面視において、一端部５１から他端部５２に向けて、外方に傾斜している傾斜部５３と、を有する。また、側方カバー５０は、例えば、透光性を有する材料で形成されている。例えば、側方カバー５０は、透光性を有するアクリル樹脂で形成されている。
【００５９】
一端部５１は、器具本体１０に取り付けられる取付部であり、側方カバー５０を器具本体１０に固定する。また、他端部５２は、枠体７０を介して外郭カバー６０が取り付けられる取付部であり、側方カバー５０に外郭カバー６０を固定する。一端部５１は、器具本体１０に取り付けられた状態で、他端部５２より天井９１側に位置する。また、一端部５１は、器具本体１０に取り付けられた状態で、発光モジュール３０より天井９１側に位置する。
【００６０】
傾斜部５３は、天井９１と垂直な方向から見たときに天井９１から遠ざかるにつれ外方に向かう向きに、天井９１と垂直な方向に対して傾斜している。例えば、傾斜部５３は、一端部５１から他端部５２に向けて、天井９１と垂直な方向に対して外方に傾斜している。これにより、発光モジュール３０から傾斜部５３の内面（発光モジュール３０側の面）に入射した光（図中の光Ｌ１）は、傾斜部５３の外面（内面と背向する面）から天井９１側に出射される（図中の光Ｌ１１）。そして、傾斜部５３から出射された光Ｌ１１（照明光）は、床面ではなく主に天井９１又は壁などに照射される。照明器具１が照明する空間に居る人物（以降、ユーザと記載する）は、天井９１又は壁に反射した光により、天井９１や壁を従来よりも明るく感じることができる。よって、照明器具１を用いることで、従来の照明器具よりも天井９１又は壁を明るく照らすことができるので、照明器具１が照明する空間全体を明るくすることができる。
【００６１】
また、図７に示すように、本実施の形態では、傾斜部５３は、断面視において、天井９１から遠ざかるにつれ外方に向かう向きに、天井９１と垂直な方向に対して直線状に傾斜している。言い換えると、図４及び図７から、傾斜部５３は、天井９１と平行な方向（例えば、Ｘ軸方向又はＹ軸方向）から見たときに、天井９１から遠ざかるにつれ外方に向かう向きに、天井９１と垂直な方向に対して直線状に傾斜している。
【００６２】
傾斜部５３に入射した光は、傾斜部５３の内面に対する当該光の入射角に応じて、傾斜部５３の外面に対する出射光の出射角が変化する。言い換えると、天井９１に対する傾斜部５３の角度に応じて、傾斜部５３の外面から出射する光の配光を制御することができる。例えば、傾斜部５３は、天井９１に対して３０°〜９０°の角度θで直線状に傾斜しており、一例として５８°で傾斜している。なお、傾斜部５３の天井９１に対する角度は、上記に限定されず、照明する空間の広さやレンズカバー４０が有するレンズ４１ａ及び４２ａの配光特性に応じて、適宜決定されればよい。
【００６３】
傾斜部５３の断面視形状が直線状である場合、発光モジュール３０から所定の角度で傾斜部５３の内面に入射した光の内面に対する入射角は、内面内において略同一の角度となる。つまり、当該光は傾斜部５３の内面で略同方向に屈折される。そして、当該光は、傾斜部５３の外面においても略同方向（例えば、天井９１側の方向）に出射される。言い換えると、傾斜部５３の断面視形状が直線状であることにより、傾斜部５３に入射した光の配光状態を面内で略同一に制御することができる。よって、特定の箇所が明るくなるといいた、傾斜部５３から出射された照明光が照らす領域（天井９１又は壁など）に明暗差が生じることを抑制することができる。
【００６４】
上記のように、傾斜部５３は、発光モジュール３０から側方カバー５０（傾斜部５３）に入射した光を天井９１や壁に出射することで、当該光を有効に活用するための光学部材である。
【００６５】
なお、図７に示すように、側方カバー５０が器具本体１０に取り付けられた状態で、一端部５１は発光モジュール３０より天井９１側に位置している。つまり、傾斜部５３は、発光モジュール３０を囲んでいる。これにより、発光モジュール３０から天井９１と水平な方向に出射された光も傾斜部５３に入射するので、傾斜部５３は当該光を天井９１側に出射することができる。
【００６６】
また、本実施の形態に係る照明器具１は、床面に向けても照明光を出射する。具体的には、発光モジュール３０から外郭カバー６０に向けて出射された光（図中の光Ｌ２）は、外郭カバー６０で拡散され、拡散された光（図中の光Ｌ１２）は床面に向けて照射される。これにより、床面を明るく照らすことができる。なお、図７では各種光を模式的に一方向の矢印（光Ｌ１、光Ｌ２、光Ｌ１１、光Ｌ１２）で示している。例えば、外郭カバー６０で拡散された光Ｌ１２は、外郭カバー６０の拡散度合いに応じて様々な方向へ照射されるが、一方向の矢印で示している。
【００６７】
上記のように、照明器具１によれば、傾斜部５３から出射した光Ｌ１１が天井９１や壁に照射され、外郭カバー６０から出射した光Ｌ１２が床面に照射されるので、床面だけでなく、天井９１や壁など照明する空間全体を照らすことができる。言い換えると、照明器具１は、照明する空間全体を明るくすることができる。これにより、ユーザは、従来のように床面だけを照らしていた場合に比べ、空間がより明るいように感じることができる。よって、本実施の形態に係る照明器具１によれば、従来よりも照明効果を高めることができる。
【００６８】
なお、傾斜部５３の断面視形状は、直線状に限定されず、例えば、湾曲していてもよい。
【００６９】
上記で説明したように、レンズカバー４０の第２レンズカバー部４２に形成されているレンズ４２ａは、広配光のレンズである。そのため、発光モジュール３０から出射された光を側方カバー５０へ向けて出射しやすくなる。つまり、より多くの光が傾斜部５３から出射し、天井９１や壁に照射されるので、天井９１や壁をより明るくすることができる。これにより、照明効果が高まる。
【００７０】
また、側方カバー５０には、例えば、光拡散材が内部に分散された乳白色の拡散パネルを用いることができる。これにより、発光モジュール３０から側方カバー５０に入射した光は、側方カバー５０を透過することで散乱されるので、側方カバー５０から出射された光は、略均一の明るさで天井９１又は壁を照らすことができる。つまり、ユーザは、略均一な明るさの天井９１又は壁を確認することができる。よって、側方カバー５０が乳白色である場合、照明する空間内の明るさがより均一となるので、さらに照明効果が高まる。
【００７１】
また、側方カバー５０は、外面及び内面の少なくとも一方に凹凸（図示しない）が形成されていてもよい。例えば、側方カバー５０の周方向に亘って凹部及び凸部がそれぞれ形成される。例えば、凹部と凸部とが交互に形成される。この場合、側方カバー５０の断面形状は、外面又は内面の少なくとも一方が波状となる。なお、凸部又は凹部の断面視形状は、三角形状（凹部では、逆三角形状）又は円弧状などである。または、凹凸は、例えば、ドット状に形成されていてもよい。形成される凹凸の深さ（頂部と谷部とで規定される深さ）は、例えば、０．５ｍｍ〜１．０ｍｍであり、隣り合う頂部間の距離は、例えば、３ｍｍ〜５ｍｍである。なお、凹凸の形状は上記に限定されず、天井９１に対する傾斜部５３の角度θ、照明する空間の広さ、レンズカバー４０の配光特性などにより、適宜決定されればよい。
【００７２】
凹凸は、例えば、平板状に形成された傾斜部５３の外面又は内面をバイトなどの切削工具を用いて切削加工する、又は、所定の凹凸が形成された金型を用いて射出形成などにより凹凸を有する傾斜部５３を一体成形することにより形成される。
【００７３】
傾斜部５３の内面、つまり発光モジュール３０からの光が入射する面に凹凸が形成されている場合、発光モジュール３０からの光は内面で拡散され、当該拡散された光が傾斜部５３を透過し、傾斜部５３の外面から出射される。また、傾斜部５３の外面、つまり傾斜部５３から外部に光が出射される面に凹凸が形成されている場合、傾斜部５３の内面に入射した光は傾斜部５３の外面で拡散され出射される。傾斜部５３の外面及び内面の少なくとも一方に凹凸が形成されていることで、発光モジュール３０からの光は傾斜部５３の外面及び内面の少なくとも一方で散乱される。よって、傾斜部５３から出射される照明光の明るさが略均一となる。これにより、傾斜部５３からの照明光が照射された天井９１又は壁は、略同一の明るさとなるので、より照明効果を高めることができる。なお、傾斜部５３の外面にシボ加工などにより、微細な凹凸が形成されていてもよい。
【００７４】
また、傾斜部５３は、一端部５１から他端部５２に向けて全体が外方に傾斜している例について説明したが、これに限定されず、傾斜部５３の少なくとも一部が一端部５１から他端部５２に向けて外方に傾斜していてもよい。
【００７５】
［１−７．外郭カバー］
次に、外郭カバー６０について、図２、図３及び図７を参照しながら説明する。
【００７６】
外郭カバー６０（下面パネル）は、発光モジュール３０を覆うカバーである。本実施の形態では、外郭カバー６０の平面視形状は、略円形状である。
【００７７】
外郭カバー６０は、透光性を有する材料（例えば、透光性を有するアクリル樹脂）で形成されている。例えば、外郭カバー６０は、光拡散材が内部に分散された乳白色の拡散パネルを用いることができる。これにより、発光モジュール３０から外郭カバー６０に入射した光は、外郭カバー６０を透過することで散乱される。つまり、外郭カバー６０から床面に照射される照明光は、略均一な明るさで床面を照らすことができる。
【００７８】
図７に示すように、外郭カバー６０は、側方カバー５０の他端部５２及び枠体７０により側方カバー５０に固定される。側方カバー５０の他端部５２に枠体７０がネジ（図１のネジ７１を参照）により取り付けられている。外郭カバー６０の外周部が側方カバー５０の他端部５２と枠体７０とに挟まれることで、外郭カバー６０は側方カバー５０に固定される。
【００７９】
なお、外郭カバー６０の断面視形状は、略矩形状である。言い換えると、外郭カバー６０は、平板状のカバーである。つまり、外郭カバー６０の表面は略平らであり、外郭カバー６０の表面には凹凸が少ない。これにより、例えば照明器具１の演出効果を高めるために、外郭カバー６０に所定の模様を形成する場合、シルク印刷などの一般的な印刷手法で当該模様を外郭カバー６０の表面（例えば、外郭カバー６０の床面側の面）に形成することができる。また、外郭カバー６０の表面にシボ加工などにより、微細な凹凸が形成されていてもよい。
【００８０】
［１−８．枠体］
次に、枠体７０について、図１〜図３及び図７を参照しながら説明する。枠体７０は、外郭カバー６０を側方カバー５０に固定するための部材である。
【００８１】
枠体７０の断面視形状は、略Ｌ字状である。枠体７０の一方側の面（本実施の形態では、天井側の面）には、一方側の面から天井９１側に突出したネジ穴（図示しない）が形成されている。側方カバー５０及び外郭カバー６０には、枠体７０のネジ穴に対応した貫通孔（例えば、切欠き状の開口）が形成されている。当該貫通孔に枠体７０のネジ穴を挿入しネジがネジ穴にねじ込まれることにより、外郭カバー６０は側方カバー５０に固定される。これにより、衝撃などで外郭カバー６０が周方向に回転することを抑制できる。
【００８２】
枠体７０に形成されるネジ穴は、枠体７０の一方側の面から天井９１側に突出して形成されているので、図２に示すように床面側から照明器具１を見てもネジを視認することはできない。言い換えると、枠体７０を用いることで、照明器具１の美観を損ねることなく、外郭カバー６０を側方カバー５０に固定することができる。
【００８３】
［２．照明器具を天井に設置した場合の照明効果］
続いて、照明器具１が天井に取り付けられ、空間を照らしている様子について、図８を参照しながら説明する。図８は、本実施の形態に係る照明器具１を設置した状態の一例を示すイメージ図である。具体的には、照明器具１を部屋９０に設置した状態を示している。部屋９０は、照明器具１が照明する空間の一例である。図８では、照明器具１は天井９１（設置面の一例）に取り付けられている例を示している。また、図８では、照明器具１から出射される照明光を実線で示しており、当該照明光が天井９１又は壁で反射された光を破線で示している。なお、図８では一例として、照明器具１から部屋９０の天井９１の隅に照射された光（実線のうち、床面９３側に出射していない光）、及び、当該光が天井９１で反射された光（破線で示せいている光）を示している。
【００８４】
上記でも説明したように、本実施の形態に係る照明器具１は、従来の照明器具のように床面９３を照らすことに加え、天井９１又は壁９２を照らすことに特徴を有する。
【００８５】
従来の照明器具（図示しない）であれば、主に床面を照らすので、天井又は壁は暗い。つまり、照明器具が照明する空間では、明るさが不均一である。このため、ユーザは、本来の明るさより暗く感じることがある。
【００８６】
一方、本実施の形態に係る照明器具１であれば、天井９１又は壁９２にも照明光を照射することができる。つまり、ユーザ２００は、照明器具１から床面９３に照射された光に加え、照明器具１の傾斜部５３から出射され、天井９１又は壁９２で反射された光を観察することができる。例えば、ユーザ２００は、天井９１側を見上げることで、天井９１又は壁９２が明るいことを確認できる。これにより、ユーザ２００は、部屋９０の全体が明るいと感じることができるので、従来の照明器具に比べ部屋９０が明るいと感じることができる。つまり、照明器具１によれば、照明効果を高めることができる。
【００８７】
さらに、本実施の形態に係る傾斜部５３の断面視形状が直線状であることから、部屋９０における明るさの均一性（例えば、天井９１又は壁９２は略同じ明るさとなるなど）が高い。これにより、さらに照明効果を高めることができる。
【００８８】
また、照明器具１の照明効果を高めることで、例えば、従来よりも器具光束の低い照明器具を用いても、ユーザ２００は従来と同等の明るさを感じることができる。これにより、照明器具の消費電力を削減することができる。
【００８９】
なお、照明器具１は天井９１又は壁９２の一部のみを照らしてもよいし、天井９１又は壁９２の少なくとも一方を意図的に照らしてもよい。
【００９０】
［３．効果］
次に、本実施の形態に係る照明器具１の効果について説明する。
【００９１】
本実施の形態に係る照明器具１は、造営材の設置面（例えば、天井９１）に取り付けられる照明器具１であって、器具本体１０と、器具本体１０に取り付けられ、基板３１及び基板３１に配置された発光素子３２を有する発光モジュール３０と、透光性を有し、発光モジュール３０を囲む枠状の側方カバー５０と、を備える。側方カバー５０は、設置面と垂直な方向から見たときに設置面から遠ざかるにつれ外方に向かう向きに、設置面と垂直な方向に対して傾斜している傾斜部５３を有する。
【００９２】
これにより、発光モジュール３０から透光性を有する側方カバー５０に入射した光は、側方カバー５０を透過し、外部に照明光として出射される。また、側方カバー５０の傾斜部５３が断面視において設置面（例えば、天井９１）から遠ざかるにつれて外方に傾斜していることで、傾斜部５３に入射した光は、主に天井９１又は壁９２などに照射される。つまり、従来よりも天井９１又は壁９２を明るく照らすことができる。よって、本実施の形態に係る照明器具１は、照明効果を高めることができる。
【００９３】
また、傾斜部５３は、設置面に対して平行な方向から見たときに直線状に傾斜している。
【００９４】
これにより、傾斜部５３は面内で略一様に配光を制御することができる。よって、特定の箇所が明るくなるなど、傾斜部５３から出射された照明光が照らす領域に明暗差が生じることを抑制することができる。
【００９５】
また、さらに、発光素子３２を覆い、バットウィング状の配光特性のレンズ４１ａ、４２ａを有するレンズカバー４０を備える。
【００９６】
これにより、発光素子３２からレンズ４１ａ及び４２ａに入射した光を、側方カバー５０が位置する方向により多く出射することができる。つまり、側方カバー５０（傾斜部５３）から天井９１又は壁９２へ出射される光の光量を増やすことができる。よって、天井９１又は壁９２をより明るく照らすことができるので、照明効果をより高めることができる。
【００９７】
また、発光モジュール３０は、複数の発光素子３２を有し、レンズカバー４０は、複数の発光素子３２のうちの基板３１の中心側に配置された発光素子３２を覆う第１レンズカバー部４１と、基板３１の外側に配置された発光素子３２を覆う第２レンズカバー部４２とを有する。そして、第２レンズカバー部４２に形成されたレンズ４１ａの発光素子３２の光軸方向に対する配光ピーク角度は、第１レンズカバー部４１に形成されたレンズ４１ａの光軸方向に対する配光ピーク角度より大きい。
【００９８】
このように、側方カバー５０に近い領域には、配光ピーク角度が広いレンズ（レンズ４２ａ）が配置されている。これにより、発光素子３２から出射されレンズカバー４０を透過した光のうち、側方カバー５０へ入射する光の光量を効率的に増やすことができる。つまり、側方カバー５０（傾斜部５３）から天井９１又は壁９２へ出射される光の光量を効率的に増やすことができる。よって、天井９１又は壁９２をより明るく照らすことができるので、照明効果をより高めることができる。
【００９９】
また、傾斜部５３の外面及び内面の少なくとも一方には、凹凸が形成されている。
【０１００】
これにより、傾斜部５３の内面に凹凸が形成されている場合、発光モジュール３０からの光は内面で拡散され、当該拡散された光が傾斜部５３を透過し、傾斜部５３の外面から出射される。また、傾斜部５３の外面に光が出射される面に凹凸が形成されている場合、傾斜部５３の内面に入射した光は傾斜部５３の外面で拡散され出射される。つまり、傾斜部５３の外面及び内面の少なくとも一方に凹凸が形成されていることで、発光モジュール３０からの光は傾斜部５３の外面及び内面の少なくとも一方で散乱される。よって、側方カバー５０から出射される照明光の明るさが略均一となる。これにより、側方カバー５０からの照明光が照射された天井９１又は壁９２は、略同一の明るさとなるので、照明器具１は、照明効果をより高めることができる。
【０１０１】
また、傾斜部５３は、乳白色である。
【０１０２】
これにより、発光モジュール３０から傾斜部５３に入射した光（例えば、図７のＬ１）は傾斜部５３を透過することで散乱される。つまり、傾斜部５３から出射された照明光（例えば、図７のＬ１１）は、天井９１又は壁９２を略均一の明るさで照らすことができる。よって、照明する空間内の明るさをより均一にすることができるので、照明器具１は、さらに照明効果を高めることができる。
【０１０３】
（その他の実施の形態）
以上、本発明について実施の形態に基づいて説明したが、本発明は、上記実施の形態に限定されるものではない。
【０１０４】
例えば、上記実施の形態では、照明器具１が取り付けられる造営材の設置面が天井９１である場合について説明したが、設置面はこれに限定されない。例えば、造営材の設置面は、建物の壁９２等であってもよい。なお、設置面が壁９２である場合、一方側の面は、照明器具１が設置されている壁９２などであり、他方側の面は設置面と対向する壁９２などである。
【０１０５】
これにより、造営材の設置面が天井９１である場合と同様の効果を奏する。
【０１０６】
また、上記実施の形態では、外郭カバー６０は平板状の部材である例について説明したが、外郭カバー６０の形状は特に限定されない。例えば、外郭カバー６０はドーム状であってもよいし、その他の形状であってもよい。例えば、外郭カバー６０の平面視形状は矩形状（スクウェア状）であってもよいし、長尺状であってもよい。
【０１０７】
これにより、外郭カバー６０が平板状である場合と同様の効果を奏する。
【０１０８】
また、上記実施の形態では、照明器具１をシーリングライトとしたが、これに限定されない。例えば、ペンダントライト、ブラケットライト、バスルームライト又はキッチンライト等としてもよい。
【０１０９】
また、上記実施の形態では、発光素子をＳＭＤ構造としたが、これに限定されない。例えば、ＬＥＤチップを基板に直接実装したＣＯＢ（Ｃｈｉｐ  Ｏｎ  Ｂｏａｒｄ）構造であってもよい。この場合、封止部材によって、基板上に実装された複数のＬＥＤチップを一括に封止してもよく、あるいは、個別に封止してもよい。また、封止部材には、上述した黄色蛍光体等の波長変換材が含有されていてもよい。
【０１１０】
また、上記実施の形態では、複数の基板３１をリング状に並べることにより発光モジュール３０を構成したが、これに限定されない。例えば、１つのリング状の基板で発光モジュール３０を構成してもよい。
【０１１１】
また、上記実施の形態では、発光素子３２が基板３１に複数配置されている例について説明したが、これに限定されない。例えば、基板３１に配置される発光素子３２は１つであってもよい。
【０１１２】
また、上記実施の形態では、レンズカバー４０は、配光ピーク角度の異なる２種類のレンズ４１ａ及び４２ａで構成されている例について説明したが、これに限定されない。レンズカバー４０が有する複数のレンズは、全てが同一の配光ピーク角度を有するレンズで構成されていてもよいし、配光ピーク角度が異なる３種類以上のレンズで構成されていてもよい。なお、配光ピーク角度が異なる３種類以上のレンズで構成されている場合、レンズカバー４０の最外周には、配光ピーク角度が最も広いレンズが形成される。
【０１１３】
また、上記実施の形態では、第１レンズカバー部４１と第２レンズカバー部４２とは一体で形成されている例について説明したが、これに限定されない。例えば、第１レンズカバー部４１と第２レンズカバー部４２とは、別体で形成されていてもよい。
【０１１４】
また、上記実施の形態では、側方カバー５０は透光性を有する材料で構成されている例について説明したが、これに限定されない。側方カバー５０のうちの傾斜部５３が透光性を有する材料で構成されていればよく、一端部５１及び他端部５２は透光性を有していなくてもよい。
【０１１５】
また、上記実施の形態では、レンズ４１ａ及びレンズ４２ａはバットウィング状の配光特性を有するレンズである例について説明したが、これに限定されない。例えば、レンズ４１ａ及び４２ａは、側方カバー５０に向けて光を出射できる配光特性を有するレンズであればよい。
【０１１６】
また、上記実施の形態では、器具本体１０がリング状である例について説明したが、器具本体１０の形状は特に限定されない。
【０１１７】
その他、上記実施の形態に対して当業者が思いつく各種変形を施して得られる形態や、本発明の主旨を逸脱しない範囲で各実施の形態における構成要素および機能を任意に組み合わせることで実現される形態も本発明に含まれる。
【符号の説明】
【０１１８】
１    照明器具
１０    器具本体
３０    発光モジュール
３１    基板
３２    発光素子
４０    レンズカバー
４１    第１レンズカバー部
４１ａ、４２ａ    レンズ
４２    第２レンズカバー部
５０    側方カバー
５３    傾斜部
９１    天井（設置面）
【図１】
2018125101.tif 000003
【図２】
2018125101.tif 000004
【図３】
2018125101.tif 000005
【図４】
2018125101.tif 000006
【図５】
2018125101.tif 000007
【図６】
2018125101.tif 000008
【図７】
2018125101.tif 000009
【図８】
2018125101.tif 000010